(57)【要約】      （修正有）【課題】より変化に富んだ面白みのある水槽用装飾体及び水槽を提供する。【解決手段】水槽装飾体１０は、空気を保持する容器状の収容部１６と、収容部１６に連通し常時開口している開口部１５と、空気によって生じる浮力より大きい重さの錘１３を有する錘部（張糸１２及び錘１３）と、を有する本体部１７を備え、本体部１７は、水を張った水槽（水槽本体５０）に入れたとき、収容部１６に少なくとも空気が入って保持され、その収容部１６を有する本体部１７が水面に向けて起立する。収容部１６の内部に水草を入れることができる。【選択図】図１
0003202125.tif 000002
【実用新案登録請求の範囲】
【請求項１】
空気を保持する容器状の収容部と、
前記収容部に連通し常時開口している開口部と、
前記空気によって生じる浮力より大きい重さの錘を有する錘部と、
を有する本体部を備え、
前記本体部は、
水を張った水槽に入れたとき、前記収容部に少なくとも空気が入って保持され、その収容部を有する前記本体部が水面に向けて起立する水槽装飾体。
【請求項２】
前記錘部は、
前記開口部の周囲に設けられた複数の貫通孔に挿通された張糸に結合された前記錘であり、
前記本体部は、
前記水槽に入れたとき、前記収容部に空気と水が入って保持され、その収容部を有する前記本体部が前記水面に向けて起立する請求項１に記載の水槽装飾体。
【請求項３】
前記錘部は、
前記収容部と一体に設けられた底部に載置された前記錘であり、
前記本体部は、
前記水槽に入れたとき、前記収容部に空気と水が入って保持され、その収容部を有する前記本体部が前記水面に向けて起立する請求項１に記載の水槽装飾体。
【請求項４】
前記収容部は、
気泡を保持する複数の空気保持体であり、
前記本体部は、
前記各空気保持体をそれぞれに支持した放射状の支柱部と、
前記支柱部の根元に上端が結合された主柱部と、
前記主柱部の下端に設けた錘部と、
を備え、かつ、
前記水槽に入れたとき、前記空気保持体に少なくとも空気が入って保持され、その空気保持体を有する前記本体部が前記空気保持体を上にして前記水面に向けて起立する請求項１に記載の水槽装飾体。
【請求項５】
前記収容部は、
内部の水面に水草を有する請求項１から請求項４までのいずれか１項に記載の水槽装飾体。
【請求項６】
請求項１から請求項５までのいずれか１項に記載の水槽装飾体を備える水槽。
【考案の詳細な説明】
【技術分野】
【０００１】
本考案は、水槽用装飾体に関する。
【背景技術】
【０００２】
従来の観賞魚を飼育する水槽は、ガラスや樹脂などによって形成された器に水を張り、この水の中に観賞魚を入れて外部から観察するものであった。観賞魚がよく見えるようにするためには、水を水槽の開口部付近まで入れ、観賞魚が動き回ることができる範囲を広く取ることが必要である。
【０００３】
しかし、最近ではこのような従来の水槽に飽き足らず、より変化に富んだ水槽に対する需要がある。例えば、観賞魚を飼育するものの中には、水草の愛好家もいる。従来の水槽に観賞魚を入れ、さらに水草を入れると水面に浮かぶ種類の水草は水槽の開口部からはみ出してしまい、見栄えが悪い。水草が水槽に収まるように水面を下げると、観賞魚がよく見えなくなってしまう。
【０００４】
この点に関し、ドーム型の透明な容器を水槽の水の中に沈めて水槽の底部に固定し、このドーム型の容器に外部から空気を供給することにより観賞魚とともに両棲類も観察できる水槽が提案されている（例えば、特許文献１）。
【０００５】
しかし、この技術によっては、容器が水槽の底部に固定されているため、容器内の水面は低くならざるを得ず、水に浮かぶ水草などは上から見るようになってしまう。従って、水草に近づく観賞魚を観察しにくくなり、面白みに欠けるものとなっていた。
【先行技術文献】
【特許文献】
【０００６】
【特許文献１】特開２００３−１６４２３６号公報
【考案の概要】
【考案が解決しようとする課題】
【０００７】
本考案が解決しようとする課題は、より変化に富んだ面白みのある水槽用装飾体を提供することである。
【課題を解決するための手段】
【０００８】
水槽装飾体は、空気を保持する容器状の収容部と、前記収容部に連通し常時開口している開口部と、前記空気によって生じる浮力より大きい重さの錘を有する錘部と、を有する本体部を備え、前記本体部は、水を張った水槽に入れたとき、前記収容部に少なくとも空気が入って保持され、その収容部を有する前記本体部が水面に向けて起立する。
【考案の効果】
【０００９】
本考案によれば、より変化に富んだ面白みのある水槽用装飾体を提供することができる。
【図面の簡単な説明】
【００１０】
【図１】第１の実施形態に係る水槽装飾体を示す斜視図。
【図２】図１の水槽装飾体の正面図。
【図３】図１の水槽装飾体の底面図。
【図４】錘の側面図。
【図５】第２の実施形態に係る水槽装飾体の斜視図。
【図６】図５の水槽装飾体の正面図。
【図７】図５の水槽装飾体の平面図。
【図８】第３の実施形態の水槽装飾体を示す斜視図。
【図９】図８の水槽装飾体の平面図。
【図１０】空気保持体付近の拡大側面図。
【図１１】図１０におけるＡＡ線断面図。
【図１２】空気保持体の他の例を示す図１０におけるＡＡ線断面図。
【考案を実施するための形態】
【００１１】
以下、本考案にかかる一実施形態を、図面を参照しながら説明する。
【００１２】
（第１の実施形態）
図１は本実施形態に係る水槽装飾体１０を示す斜視図、図２は水槽装飾体１０の正面図、図３は水槽装飾体１０の底面図である。図１から図３に示すように、開口部１５と、開口部１５と連通する収容部１６と、開口部１５の周囲に設けられる複数の貫通孔１１と、を有する透明な本体部１７を備える。
【００１３】
本体部１７は、略球体をなし、内部に空気と水を収容する収容部１６を有する。本体部１７は収容部１６をできるだけ広くするために、厚さは剛性を確保できる範囲においてできるだけ薄く形成される。
【００１４】
開口部１５は、収容部１６と連通して１つ設けられる。開口部１５の直径は本体部１７の直径より短く、少なくとも人の手が入る程度の大きさを有する。
【００１５】
開口部１５の周りには、二つ一組の貫通孔が、底面視において互いに開口部１５の中心を中心として略９０°の間隔を開けて配置される。
【００１６】
本体部１７の材質は、透明な材質であればどのようなものであってもよい。例えば、ガラス、アクリルのような樹脂などが挙げられる。本体部１７はこの透明な材質を半透明に構成して用いることも、色や模様を付けることもできる。
【００１７】
次に、水槽装飾体１０の使用方法について説明する。まず水槽本体５０に水５１を張る。次に、張糸１２を貫通孔１１に通して錘１３に結び付ける。そして、本体部１７の収容部１６に半分ほど水を入れ、水草４１を浮かべる。次に、開口部１５が下になるように本体部１７を回転させる。
【００１８】
図４は、錘１３の側面図である。図４に示すように、錘１３は、錘本体部１３１と、錘本体部１３１の上面に取り付けられる係止部１３２と、を備える。張糸１２は係止部１３２に係止される。錘１３は本体部１７の浮力以上の重さを有するものを用いる。図４に記載した錘１３は一例であり、他には直方体の鉛の塊をステンレスのワイヤによって縛り、このワイヤに張糸１２を結び付けてもよい。錘１３の重さは、水槽装飾体１０の大きさに依存する。水槽装飾体１０の直径が１２０ｍｍ〜１３０ｍｍの場合は錘１３の重さは略１ｋｇが好適である。
【００１９】
張糸１２の長さは本体部が所望の位置になるように調節される。そして、水槽本体５０の内部に観賞魚４２が入れられる。
【００２０】
本体部１７は、収容部１６に入っている空気による浮力によって水槽本体５０の所望の位置に浮遊する。そして、本体部１７の浮力より重い錘１３が結び付けられているため、本体部１７は水面に浮かび上がることはない。
【００２１】
従って、水草４１と観賞魚４２とをほぼ同じ高さにより鑑賞でき、また、観賞魚４２は本体部１７の収容部１６の水５１の中に入っていけるため、水草４１の付近を泳ぐ観賞魚４２の鑑賞を楽しむことができる。
【００２２】
以上述べたように、本実施形態の水槽装飾体１０は、空気を保持する容器状の収容部１６と、収容部１６に連通し常時開口している開口部１５と、空気によって生じる浮力より大きい重さの錘１３を有する錘部（貫通孔１１に挿通した張糸１２に結合された錘１３）と、を有する本体部１７を備え、本体部１７は、水を張った水槽（水槽本体５０）に入れたとき、収容部１６に少なくとも空気が入って保持され、その収容部１６を有する本体部１７が水面に向けて起立する。
【００２３】
従って、本考案によれば、より変化に富んだ面白みのある水槽装飾体１０を提供することができるという効果がある。
【００２４】
（第２の実施形態）
図５は、本実施形態に係る水槽装飾体２０の斜視図、図６は水槽装飾体２０の正面図、図７は水槽装飾体２０の平面図である。図５から図７に示すように、水槽装飾体２０は、少なくとも一つの開口部２１を有し、両端に底部２４を有する円筒形状をなす本体部２２を備える。
【００２５】
本体部２２は、いわゆる樽型形状乃至縦長の球体をなし、内部に空気と水を収容する収容部２３を有する。本体部２２は収容部２３をできるだけ広くするために、厚さは剛性を確保できる範囲においてできるだけ薄く形成される。
【００２６】
開口部２１は、本体部２２と一体に設けられ、下方に位置する一方の底部２４の近傍に収容部２３と連通して少なくとも１つ設けられる。図５の例においては、開口部２１は二つ設けられている。開口部２１の直径は本体部２２の直径より短く、少なくとも人の手が入る程度の大きさを有する。
【００２７】
本体部２２の材質は、透明な材質であればどのようなものであってもよい。例えば、ガラス、アクリルのような樹脂などが挙げられる。本体部２２はこの透明な材質を半透明に構成して用いることも、色や模様を付けることもできる。
【００２８】
次に、水槽装飾体２０の使用方法について説明する。まず水槽本体５０に水５１を張る。本体部２２の収容部２３に半分ほど水を入れ、水草４１を浮かべる。次に、開口部２１が下になるように本体部２２を回転させ、水槽本体５０の底に配置する。そして、錘となる石４３を収容部２３の底部２４に載置する。そして、水槽本体５０の内部に観賞魚４２が入れられる。
【００２９】
本体部２２は収容部２３の空気によって浮力を生ずるが、石４３の重さにより水面まで浮かび上がることはない。
【００３０】
図５に示した例では、石４３の重さが本体部２２の浮力より大きいため、本体部２２は水底にとどまるが、空気の量と石４３の重さを釣り合うように調整すれば、所望の高さに浮遊するようにすることもできる。
【００３１】
従って、水草４１と観賞魚４２とをほぼ同じ高さにより鑑賞でき、また、観賞魚４２は本体部２２の収容部２３の水５１の中に入っていけるため、水草４１の付近を泳ぐ観賞魚４２の鑑賞を楽しむことができる。
【００３２】
以上述べたように、本実施形態の水槽装飾体２０は、空気を保持する容器状の収容部２３と、収容部２３に連通し常時開口している開口部２１と、空気によって生じる浮力より大きい重さの錘（石４３）を有する錘部（底部２４）と、を有する本体部２２を備え、本体部２２は、水を張った水槽（水槽本体５０）に入れたとき、収容部２３に空気と水が入って保持され、その収容部２３を有する本体部２２が水面に向けて起立する。
【００３３】
従って、水槽装飾体２０は、浮力と錘とを釣り合わせて水中を浮遊させることも、水底に配置することも可能となり、多様な楽しみ方ができるという効果がある。
【００３４】
（第３の実施形態）
図８は、本実施形態の水槽装飾体３０を示す斜視図、図９は水槽装飾体３０の平面図である。図８及び図９に示すように、水槽装飾体３０は、気泡を支持する複数の空気保持体３１１と、空気保持体３１１を先端に支持する支柱部３１２と、複数の支柱部３１２を先端部において放射状に支持する主柱部３２と、主柱部３２を支持する基底部３３と、を備える。
【００３５】
主柱部３２は、支柱部３１２の根元に上端が結合され、下端に錘部（錘３４を含む基底部３３）が設けられる。
【００３６】
支柱部３１２の長さは、すべて同じでもよいが、それぞれ異なっていた方が、面白みがあるという点において好ましい。主柱部３２の長さも、複数の水槽装飾体３０の間において異なっていた方が、面白みがわく。
【００３７】
基底部３３には錘３４が取り付けられる。基底部３３は球体であることが、波に揺れる面白みがある点において望ましい。錘３４は、基底部３３の内部に埋め込まれる。錘３４は、本体部（空気保持体３１１、支柱部３１２、主柱部３２、及び基底部３３）の浮力以上の重さを有する。本体部の材質は、透明な材質であればどのようなものであってもよい。例えば、ガラス、アクリルのような樹脂などが挙げられる。本体部はこの透明な材質を半透明に構成して用いることも、色や模様を付けることもできる。
【００３８】
図１０は空気保持体３１１付近の拡大側面図、図１１は図１０におけるＡＡ線断面図である。図１０及び図１１に示すように、空気保持体３１１は、開口部３１４を有し、内部が空洞の球形状をなす。開口部３１４の直径は空気保持体３１１の直径より小さい。
【００３９】
また、開口部３１４の大きさは、気泡３１３を支持できる範囲内において大きいほうが美観の点において望ましい。
【００４０】
開口部３１４は、空気保持体３１１の支柱部３１２の設置位置に対向する位置に設けられることが、製造が容易であるという点において望ましい。
【００４１】
図１２は、空気保持体３１１の他の例を示す図１０におけるＡＡ線断面図である。図１２に示すように、空気保持体３１１は、開口部３１４の開口面が略水平になるように、支柱部３１２に角度θを付けて開口部３１４を備えるように構成することもできる。
【００４２】
この場合、より大きい気泡を支持でき、かつ支持された気泡の視認性がより優れているという点において望ましい。
【００４３】
この水槽装飾体３０は、空気中において空気保持体３１１から水を取り除いたのち、静かに水槽本体５０の水５１の中に沈められる。空気保持体３１１は水の表面張力によって気泡を支持する。
【００４４】
支柱部３１２は主柱部３２の先端部において放射状に支持されているため、水槽装飾体３０は主柱部３２の先端部を上にして浮遊する。ここで、基底部３３には錘３４が取り付けられているため、水槽装飾体３０は水面に浮上することはない。
【００４５】
従って、空気保持体３１１によって支持される気泡が輝き、波に揺れる水槽装飾体３０を楽しむことができる。
【００４６】
以上述べたように、本実施形態の水槽装飾体３０は、空気を保持する容器状の収容部（空気保持体３１１）と、収容部（空気保持体３１１）に連通し常時開口している開口部３１４と、空気によって生じる浮力より大きい重さの錘３４を有する錘部（基底部３３）と、を有する本体部を備え、本体部は、水を張った水槽（水槽本体５０）に入れたとき、収容部（空気保持体３１１）に少なくとも空気が入って保持され、その収容部（空気保持体３１１）を有する本体部が空気保持体３１１を上にして水面に向けて起立する。
【００４７】
従って、より趣のある水槽を提供することができるという効果がある。
【符号の説明】
【００４８】
１０  水槽装飾体
１１  貫通孔
１２  張糸
１３  錘
１５  開口部
１６  収容部
１７  本体部
２０  水槽装飾体
２１  開口部
２２  本体部
２３  収容部
３０  水槽装飾体
３２  主柱部
３３  基底部
３４  錘
４１  水草
４２  観賞魚
４３  石
５０  水槽本体
５１  水
１３１  錘本体部
１３２  係止部
３１１  空気保持体
３１２  支柱部
３１３  気泡
３１４  開口部
【図１】
0003202125.tif 000003
【図２】
0003202125.tif 000004
【図３】
0003202125.tif 000005
【図４】
0003202125.tif 000006
【図５】
0003202125.tif 000007
【図６】
0003202125.tif 000008
【図７】
0003202125.tif 000009
【図８】
0003202125.tif 000010
【図９】
0003202125.tif 000011
【図１０】
0003202125.tif 000012
【図１１】
0003202125.tif 000013
【図１２】
0003202125.tif 000014